(57)【特許請求の範囲】
【請求項１】
注射装置の受け口を有する取付部材と、受け口に差し込まれるようになっていて、直径方向に対向して設けられた覗き窓を有する受け筒とを含み、取付部材が円周方向に間隔を隔てた複数のボール保持穴と、該ボール保持穴内に位置した係止ボールと、を有し、前記受け筒が係止ボールを一部受け入れるようになった環状溝を備え、互いに隣接した環状カム面と逃げ面とを有し、係止ボールが環状溝と整合したとき、係止ボールの一部を環状溝に係止させるべく、環状カム面が係止ボールを環状溝に向かって押す位置と、係止ボールを環状溝から解放させるべく、逃げ面が係止ボールと対向する位置との間を移動できる係止リングを含む、歯科用カートリッジ式注射装置における受け筒の取付装置。
【請求項２】
前記係止ボールを前記受け筒の環状溝から解放する位置への前記係止リングの移動は注射装置のハンジング側に向かう方向である、請求項１に記載の歯科用カートリッジ式注射装置における受け筒の取付装置。
【請求項３】
前記係止ボールを前記受け筒の環状溝から解放する位置への前記係止リングの移動は注射装置のハンジング側から遠ざかる方向である、請求項１に記載の歯科用カートリッジ式注射装置における受け筒の取付装置。
【請求項４】
前記係止リングの環状カム面が係止ボールと対向する位置に係止リングを常時押すコイルスプリングを更に含む、請求項１に記載の歯科用カートリッジ式注射装置における受け筒の取付装置。
【請求項５】
前記受け筒を前記受け口に差し込んだとき、受け筒の差し込み位置を決定する手段が設けられ、該手段は受け口の先端に係合するようになった受け筒の肩からなる、請求項１に記載の歯科用カートリッジ式注射装置における受け筒の取付装置。
【請求項６】
前記受け口を有する取付部材は、これに半径方向に明けられた穴を有し、前記穴に嵌着固定され、受け筒の外周面の一部と摩擦接触するようになったゴム片を更に含む、請求項１乃至５のいずれか１項に記載の受け筒の取付装置
【発明の詳細な説明】
技術分野
本発明は、一般的には歯科用カートリッジ式注射装置に関し、特に、カートリッジを収容するようになった受け筒の取付装置に関する。
発明の背景
この種の注射装置では、手動式の場合、受け筒が指掛け本体に締め付けネジで固定され、受け筒にはカートリッジを外から差し込める大きさの覗き兼用の窓が設けられている。一方、電動式の場合、受け筒がハウジングのノーズ部分に固着されたプランジャーロッドの支持部材に設けられた取付部材の受け口に着脱自在に装着され、注射のたびに、受け筒を受け口から外してカートリッジを受け筒に差し込み、再び、受け筒を受け口に取り付ける。受け筒には覗き窓が直径方向に対向して設けられている。
カートリッジは周知ようのように、先端に口金で保持され、且つ受け筒の先端に装着される注射針で刺し通されるゴム栓と、カートリッジの後端に嵌着され、注射装置のプランジャーロッドで押され、カートリッジ内の注射液を注射針を通して射出させるためのプランジャーゴムとを有している。
いずれの形式の注射装置においても、窓は、注射中、受け筒内のカートリッジの様子、つまり注射液の注入消費量を目視する上で重要な役割を果たしている。又注射針の先端はカット面による刃先を構成していて、これを患者の歯の側に向けて歯肉に刺すことが重要である。
注射装置を扱う歯科医師の体格、患者に対する処置の姿勢等によって、窓を通してカートリッジを見る角度が変わるため覗き易い位置に窓を向き替えるとともに注射針の刃先を構成するカット面の向きを変えることが必要である。手動式の場合には、締め付けネジを緩めて受け筒の向きを調整すれば良い訳であるが、その都度締め付けネジを緩めたり締め直したりする操作は大変面倒であり、非能率的である。電動式の場合には、受け筒の受け口に対する装着位置が固定しているため、窓の向き及び注射針のカット面の向きは常に同じであって、調整は不可能であった。又、カートリッジを装填する毎に受け筒を受け口から取り外す構造であるため、装着に手間がかからない簡易な構造のものが要望されていた。
発明の開示
本発明の目的は、このような要望を満たし、覗き窓の向き及び注射針のカット面の向きを望みに応じて簡単に変え得る歯科用カートリッジ式注射装置における受け筒の取付装置を提供することにある。
本発明の上記目的は、注射装置の受け口を有する取付部材と、受け口に差し込まれるようになっていて、直径方向に対向して設けられた覗き窓を有する受け筒とを含み、取付部材が円周方向に間隔を隔てた複数のボール保持穴と、該ボール保持穴内に位置した係止ボールと、を有し、前記受け筒が係止ボールを一部受け入れるようになった環状溝を備え、互いに隣接した環状カム面と逃げ面とを有し、係止ボールが環状溝と整合したとき、係止ボールの一部を環状溝に係止させるべく、環状カム面が係止ボールを環状溝に向かって押す位置と、係止ボールを環状溝から解放させるべく、逃げ面が係止ボールと対向する位置との間を移動できる係止リングを含む、歯科用カートリッジ式注射装置における受け筒の取付装置を提供することによって達成される。
本発明によれば、係止ボールを受け筒の環状溝から解放する位置への係止リングの移動は、注射装置のハウジング側に向かう方向でも良いし、或いはハウジング側から遠ざかる方向であってもよい。
本発明の好ましい実施形態では、係止リングの環状カム面が係止ボールと対向する位置に係止リングを常時押すコイルスプリングを更に含む。
更に、本発明によれば、受け筒を受け口に差し込んだとき、受け筒の差し込み位置を決定する手段が設けられる。該手段は受け口の先端に係合するようになった受け筒の肩からなる。
受け口を有する取付部材は、これにけられた穴に嵌着されたゴム片を有し、該ゴム片は、受け筒が受け口に対して不用意に回転する野を防止するために、受け筒の外周面の一部に摩擦接触するようにするのが好ましい。
係止リングをその逃げ面が係止ボールと対向する位置へコイルスプリングの作用に抗して押すと、係止ボールが逃げ面に向かって半径方向外方に移動可能になるから、カートリッジの装填、取り出しに当たって受け筒を受け口に対して抜き差しするだけで受け口から取り外したり装着したりすることができ、係止リングから手を離せば、コイルスプリングの作用で係止リングは元の位置に押し戻され、環状カム面が係止ボールに係合してこれを受け筒の環状溝に向かって半径方向内方に押し込み、それによって受け筒の受け口からの抜け留めがなされる。受け筒はその状態で回転可能であり、従って受け筒の覗き窓の向き及び受け筒に装着される注射針のカット面の向きを望み通りに変えることができる。取付部材に設けられたゴム片は、受け筒の外周面との摩擦接触により、受け筒に適度の回転制動を与え、覗き窓や注射針のカット面を望み通りの向きを、注射操作中安定的に維持させることができる。
【図面の簡単な説明】
図１は、本発明による歯科用カートリッジ式注射装置の第１の実施形態の全体の外観斜視図である。
図２は、受け筒を受け口に連結する機構を示す本発明による注射装置の一部の断面図である。
図３は、図２の線３−３における断面図である。
図４は、本発明による歯科用カートリッジ式注射装置の第２の実施形態の図２と同様な図である。
図５は、図４の線５−５における断面図である。
図６は、本発明による歯科用カートリッジ式注射装置の第３の実施形態の図２と同様な図である。
図７は、本発明の注射装置に使用されるカートリッジ及び注射針の説明図である。
発明を実施するための最良の形態
図面を参照して本発明による歯科用カートリッジ式注射装置の実施形態を説明すると、図示した歯科用カートリッジ式注射装置は電動式のものが示されているが、本発明の概念を手動式のものに適用してもよいことは明らかである。図１において、本発明による注射装置は、そのハウジング１のノーズ部分２に適当な方法で固着され且つプランジャーロッド３を摺動自在に支持するための支持部材４の先端にねじで連結された取付部材５ａを含む。プランジャーロッド３は駆動装置（図示せず）によって極めて低速で前進駆動されるようになっている。参照番号６は取付部材５ａに螺着されたハウジングの保持キャップである。図２及び３から明らかなように、取付部材５ａは円周方向に間隔を隔てた複数のボール保持穴７と、該ボール保持穴７内に位置した係止ボール８と、を有している。受け筒９が取付部材５ａの受け口５に差し込まれるようになっていて、その差し込み深さは受け口５の先端に係合する肩１０によって制限される。受け筒９はその直径方向に対向した位置に覗き窓１１を有し、また、係止ボール８を一部受け入れるようになった環状溝１２を外周に備えている。取付部材５ａの外周面には係止リング１３が設けられ、係止リング１３は互いに隣接した環状カム面１４と逃げ面１５を有し、係止ボール８が環状溝１２と整合したとき、環状カム面１４が係止ボール８の一部を環状溝１２に係止させるべく、係止ボール８を環状溝１２に向かって押す位置と、係止ボール８を環状溝１２から解放させるべく、逃げ面１５が係止ボール８と対向した位置との間を移動できる。係止ボール８を受け筒９の環状溝１２から解放する位置への係止リング１３の移動は注射装置のハウジング側に向かう方向である。コイルスプング１６が係止リング１３の環状カム面の肩と取付部材５ａの外周面に形成された肩５’との間に介在されていて、係止リング１３を、その環状カム面１４が係止ボール８と対向する位置に、即ち注射装置から遠ざかる方向に常時押すようになっている。参照番号１７はストップリングであって、係止リング１３の逃げ面１５の側で取付部材５ａの外周面に形成された円周溝に嵌め込まれていて、コイルスプリング１６で押される係止リング１３を適所に保持するのに役立つ。尚、図２において、参照番号４’は、受け口５に受け筒９が差し込まれたとき、その後端面で押されて注射装置の駆動装置を操作する制御ロッドである。
図４及び５は本発明による歯科用カートリッジ式注射装置における受け筒の取付装置の他の実施形態を示す。この実施形態は基本的には図１乃至３に示す実施形態と同様であり、従って、同様な構成部品は同様な参照番号で指示してある。この第２の実施形態では、係止リング１３に互いに隣接して設けられた環状カム面１４と逃げ面１５は第１実施形態におけるものとは位置が逆である。そのため、係止ボール８を受け筒９の環状溝１２から解放する位置への係止リング１３の移動は、第１実施形態における場合とは反対で、注射装置のハウジング側から遠ざかる方向である。コイルスプング１６は係止リング１３の環状カム面１４の肩と取付部材５ａの外周面に形成された円周溝に嵌められた保持リング５''との間に介在され、係止リング１３を、その環状カム面１４が係止ボール８と対向する位置に、即ち注射装置に向かう方向に常時押すようになっている。ストップリング１７は、係止リング１３の逃げ面１５の側で取付部材５ａの外周面に形成された円周溝に嵌め込まれていて、コイルスプリング１６で押される係止リング１３を適所に保持するのに役立つ。
図６は、受け筒の回転制動手段が設けられている以外は、図２に示す本発明の実施形態と同じである。回転制動手段は、取付部材５ａに半径方向に明けられた穴２３に嵌着されたゴム片２４からなる。ゴム片２４は、シリコンゴム、ニトリルゴム等の合成ゴムから成るのが良く、穴の数、即ちゴム片の数は１以上いずれでも良い。ゴム片２４を穴２３に圧嵌めするため、ゴム片２４は、穴２３の直径よりも極僅か大きい直径を有する。圧嵌めに当って、ゴム片を予め１０℃以下に冷却して収縮させ、その状態で、ゴム片を穴に差し込む。常温に戻ると、ゴム片は膨張して元の大きさに戻り、そのことによって穴に嵌着固定されることになる。受け筒の外周面との接触を良くするために、ゴム片は、その内方端が極僅か内方に出張るように位置決めされるのが好ましい。
上記の受け筒の回転制動装置を図４及び５に示す実施形態に適用しても良いことは明らかである。
図７を参照すると、本発明による注射装置に使用される周知のカートリッジ１８を示し、カートリッジ１８は、先端に口金１９で保持され、受け筒９の先端に装着される注射針２０で刺し通されるゴム栓２１と、カートリッジの後端に嵌着され、注射装置のプランジャーロッド３で押され、カートリッジ内の注射液を注射針を通して射出させるためのプランジャーゴム２２とを有している。注射針２０はその先端がカット面２０’により刃先となっている。
注射装置の使用に当たり、係止リング１３をその逃げ面１５が係止ボール８と対向する位置へコイルスプリング１６の作用に抗して押す。すると、係止リング１３の環状カム面１４が係止ボール８から離れて逃げ面１５がそこに位置する結果、係止ボール８は半径方向外方に自由になり、受け筒９を受け口５に対して抜き差しするだけで受け口から取り外したり装着したりすることができる。而して、受け口５から取り外した受け筒９に後ろからカートリッジ１８を装填したら、受け筒９を受け口５に差し込み、しかる後、係止リング１３から手を離せば、コイルスプリング１６の作用で係止リング１３は元の位置に押し戻され、環状カム面１４が係止ボール８に係合してこれを受け筒９の環状溝１２に向かって半径方向内方に押し込み、それによって受け筒の受け口からの抜け留めがなされる。受け筒９はその状態で自身の周りに回転可能であり、従って受け筒９の覗き窓１１の向き及び受け筒９の先端に装着される注射針２０のカット面２０’を望み通りに変えることができる。図６に示す実施形態では、受け筒が、ゴム片２４との摩擦接触により、不用意に回転しないように抑止されているため、覗き窓１１及び注射針２０のカット面２０’を望み通りの向きに安定的に維持することができる。
注射針２０を受け筒９の先端に装着するとき、その内針がカートリッジ１８のゴム栓２１に刺し通されて注射針２０はカートリッジ１の内部と連通する。かくして、プランジャーロッド３を働かせてカートリッジ１８のプランジャーゴム２２を押すことにより注射液を注射針から射出させることができる。この際最も見易い向きに調整された覗き窓を通して注射液の注入量を目視することができる。
【図１】
0003639815.tif 000002
【図２】
0003639815.tif 000003
【図３】
0003639815.tif 000004
【図４】
0003639815.tif 000005
【図５】
0003639815.tif 000006
【図６】
0003639815.tif 000007
【図７】
0003639815.tif 000008